(57)【要約】【課題】  取付けられる様式で大きな自由度をもたらす、調節可能な衛生用品の取付け装置を提供する。【解決手段】  衛生用品をその高さが調節可能であるようにして取付けるための装置であって、ブラケットを使用して壁に取付けられ得る壁取付けロッドを組み込んでいる。壁取付けロッドは、スライダがそれに沿って摺動され得る案内輪郭を組み込んでいる。各ブラケットは、案内輪郭を解放して置き、スライダが妨害なしで壁取付けロッドに係合する個所を越えて摺動され得るようにして形成される。【選択図】  図２
2004197555.tif 000002
【特許請求の範囲】
【請求項１】
衛生用品をそれらの高さが調節可能であるようにして取付ける装置であって、
その全長にわたって延在するスライダ（６）を案内する連続的な案内輪郭を有する壁取付けロッド（１，２１，３１）と、
スライダ（６）を案内するために使用される案内輪郭の部分を解放して置くようにして壁または類似物に対して壁取付けロッド（１，２１，３１）を固定する少なくとも１つのブラケット（２，３４）とを有することを特徴とする、
衛生用品取付け用装置。
【請求項２】
ブラケット（２，３４）が、壁取付けロッド（１，２１，３１）に対して、その両端近傍において取付けられ得ることを特徴とする、請求項１に記載の装置。
【請求項３】
ブラケット（２，３４）が、壁取付けロッド（１，２１，３１）に対して、その中に挿入して、そこに掛け金を掛けることなどによって、取付けられ得ることを特徴とする、請求項１または請求項２に記載の装置。
【請求項４】
少なくとも部分的には全く同じ形状である数個のブラケット（２，３４）を有することを特徴とする、請求項１〜３のいずれか１項に記載の装置。
【請求項５】
少なくとも１つのブラケット（２，３４）が、同軸的に配置される壁取付けロッドの２つの部分（１ａ，１ｂ，３１ａ，３１ｂ）に対して取付けられるようにして形成されることを特徴とする、請求項１〜４のいずれか１項に記載の装置。
【請求項６】
少なくとも１つのブラケット（２，３４）が、それぞれにその両端に位置するかまたは両端の近傍に位置する２つのアタッチメント部分（２ａ，２ｂ）を有し、その一方（２ａ）が、壁取付けロッドを終端させる終端カラー（３）またはその他の終端コンポーネント（４）を取付けるようにして形成されることを特徴とする、請求項１〜５のいずれか１項に記載の装置。
【請求項７】
終端コンポーネントを取付けるアタッチメント部分（２ａ）が、終端コンポーネント（３，４）を成形嵌めまたは締り嵌めして取付ける装置を有することを特徴とする、請求項６に記載の装置。
【請求項８】
両方のアタッチメント部分（２ａ，２ｂ）が、壁取付けロッドの部分（１ａ，１ｂ，３１ａ，３１ｂ）を案内する手段を有することを特徴とする、請求項６および請求項７に記載の装置。
【請求項９】
２つのアタッチメント部分（２ａ，２ｂ）が、必要に応じて接合部をも形成することが可能であるランド部（８）によって分離されることを特徴とする、請求項６〜８のいずれか１項に記載の装置。
【請求項１０】
壁取付けロッド（１，２１）が、好ましくは壁取付けロッド（１，２１）の前部表面において、案内輪郭を形成する溝（５）を有することを特徴とする、請求項１〜９のいずれか１項に記載の装置。
【請求項１１】
下側終端コンポーネント（４）が、溝（５）の延長部分を有することを特徴とする、請求項１〜１０のいずれか１項に記載の装置。
【請求項１２】
壁取付けロッド（１，２１）が、輪郭形成された中空のストックの全長を形成し、ブラケット（２，３４）が、その中空輪郭（１，２１，３１）の内部（２２）に係合することを特徴とする、請求項１〜１１のいずれか１項に記載の装置。
【請求項１３】
付属的なアイテムが、ブラケット（２，３４，４０）に対して、特にはその２つのアタッチメント部分を分離するランド部（８，４１）に対して取付けられることが可能であり、ランド部が、必要に応じて、この目的のために広げられ得ることを特徴とする、請求項１〜１２のいずれか１項に記載の装置。
【発明の詳細な説明】
【技術分野】
【０００１】
本発明は、例えばその高さが調節可能になるハンドヘルド式シャワーヘッドのような衛生用品を取付けるための装置に基礎を置く。
【背景技術】
【０００２】
高さが調節可能になるためには、通常、標準的に壁から短い間隔を置いて取付けられる垂直方向の壁取付けロッドが採用される。それを壁に取付けるためには、それぞれにそのロッドの上側端部および下側端部に位置する１対のブラケットが採用される。これらのブラケットは、それと同時に、壁取付けロッドの端部キャップをも形成する。壁取付けロッド上を案内され、シャワーヘッドがそれに対して固定されるスライダは、壁取付けロッドの全長にわたって摺動されることも可能であるが、その上下の端部から離れて摺動し得るものではない。
【０００３】
通常は輪郭形成された中空構造の形態を採って形成され、精巧に輪郭形成されるストックの全長の形態を採るガイドもまた周知であり、スライダのためのガイドは、それらの前部または後部の表面上の溝によって形成されることが可能である。
【発明の開示】
【発明が解決しようとする課題】
【０００４】
本発明の課題は、取付けられる様式で大きな自由度をもたらす、調節可能な衛生用品の取付け装置を提供することにある。
【課題を解決するための手段】
【０００５】
その課題を解決するために、本発明は、請求項１において記述された各特徴を有する装置を提案する。本発明に関する実施形態は、その従属請求項によってカバーされる。
【０００６】
本発明の根底をなす原理によれば、壁取付けロッドを取付ける少なくとも１つのブラケットは、その本来の機能に対して制限される。その仕事は、それと同時にロッドの頂部または底部にストッパを形成することなしに、壁取付けロッドを適所に保持することである。そのようなストッパが所望されるならば、例えば、カラーが、この事例では、輪郭形成されたロッドの自由端部またはブラケットに対して取付けられても良い。壁取付けロッドが、壁に対して、そのようなブラケットを使用してその上下の端部の両方に固定される場合には、それでもなお、単に、その終端カラーを取外し、スライダを外れるように摺動させて、スライダを交換することが可能である。
【０００７】
本発明は、例えば、スライダがそれらの外側表面に載置される壁取付けロッドに対して適用可能である。ブラケットを解除するためには、スライダ上の狭い部分だけが、解放して置かれることが必要である。
【０００８】
本発明によって実行可能になる壁取付けロッドのもう１つの構成は、数個の同軸的な部分からそれを組立てるものであり、異なった長さを有する壁取付けロッドを個々のモジュール式コンポーネントから組立てることを可能にする。最も単純な事例では、これは、それぞれの部分に１つまたは２つのブラケットを使用して壁取付けロッドの各部分を連続的に取付けることによって達成されることが可能である。それらの位置合せは、それらが壁に取付けられたということだけによって達成されることも可能である。
【０００９】
本発明は、壁取付けロッドに対してその両端において取付けられることが可能であるようにして各ブラケットを形成することを提案する。
【００１０】
本発明の実施形態によれば、各ブラケットは、工具を使用することなく、しかもネジを使用してそれらを壁取付けロッドに取付ける必要なしで、壁取付けロッドに対して、その中に挿入して、そこに掛け金を掛けるか、或いはその他のアタッチメント手段によって、取付けられ得るということが規定されることも可能である。壁取付けロッドを各ブラケットに固定することは、ネジを使用して１対の壁ブラケットを壁に固定して、壁取付けブラケットがそれらに架橋するようにして達成されることが可能である。
【００１１】
本発明に従えば、当該装置は、少なくとも部分的には全く同じである数個のブラケットを有しても良い。各ブラケットは、壁取付けロッドに取付けられる前に、必要に応じて、逆転されることもまた可能である。
【００１２】
上述のように、壁取付けロッドは、個々の部分から組立てられても良い。各ブラケットが輪郭形成されたストックの案内長さ部分を邪魔しないで置くので、スライダは、２つの部分の交わりを越えて摺動されることが可能である。本発明の詳細に従えば、少なくとも１つのブラケットは、壁取付けロッドの２つの部分を同軸的に配置して接合するようにして形成されるということが規定されることも可能である。壁取付けロッドの２つの部分に関する位置合せおよび方向付けは、ブラケットを使用して達成されることもまた可能である。その場合、壁取付けロッドの２つの部分の接合部には、唯１つのブラケットが存在することだけが必要である。
【００１３】
本発明の実施形態に従えば、少なくとも１つのブラケットは、それぞれの端部に位置して、その一方が終端カラーまたは壁取付けロッドを終端させるその他の手段を取付けるようにして形成される１対のアタッチメント部分を有するものであっても良い。この構成は、それを壁取付けロッドの部分に取付けるように意図されるものとは異なっていることも可能である。何故なら、壁取付けロッドの当該部分が、それでもなお、もう１つのブラケットによってその他端において支持されるからである。終端カラーまたは壁取付けロッドの端部キャップを取付けるためのブラケットの部分は、このコンポーネントを確実に取付けるために使用されることが可能である。詳細には、そのアタッチメント部分は、終端コンポーネントを成形嵌めまたは締り嵌めして取付けるための装置を有することも可能である。
【００１４】
それにも関わらず、この事例においても、ブラケットの両方のアタッチメント部分は、壁取付けロッドの各部分を案内する手段を有するように規定されることが可能である。
【００１５】
本発明に従えば、ブラケットの１対のアタッチメント部分は、すべてのコンポーネントが組立てられたときスプリット接合部を形成するランド部によって分離されるように規定されることも可能である。当該ランド部は、アセンブリの外観を設計する所定の機会を提供するものでもある狭い周方向の突起の形態を採って形成されることが可能である。所定の事例では、ランド部は、特にその他のコンポーネントがそれに取付けられることになる場合には、広げられることもまた可能である。
【００１６】
ブラケットを壁に固定するためには、ネジを挿入するための孔が存在することも可能であり、この孔は、好ましくは、終端コンポーネントを取付けるために意図されたアタッチメント部分の内部に配置される。
【００１７】
壁取付けロッドは、例えば、その後部表面において、或いは特にはその前部表面であるいずれかにおいて、案内輪郭を形成する溝を有することも可能である。その場合にもまた、ブラケットは、この溝を邪魔しないで置く。例えば、下側終端コンポーネントは、この事例においても、スライダが壁取付けロッドからいかなる部分をも取外すことなく溝から外れるように摺動され得るようにして、溝の延長部分を有することが可能である。
【００１８】
その後、溝から容易に引き抜かれ得ることになるシャワーホースもまた、スライダの下において、溝の中に収容されることが可能である。
【００１９】
壁取付けロッドそれ自体は、輪郭形成されたストックの中空の長さ部分によって形成されることが可能であり、その内側表面は、ブラケットのアタッチメント部分によって係合される。
【００２０】
例えば歯ブラシ用のコップのためのホルダのような補助的なアイテムのための補足的なホルダは、例えば、壁取付けロッドの２つの部分の交わりにおいて、ブラケットに取付けられることも可能である。
【００２１】
本発明のその他の特徴、詳細および利点は、本発明の好適な実施例に関する以下の説明と、その記載内容が本明細書の説明の内容に組み込まれる要約書と各請求項とにおいて説明されるようなものであり、添付図面において示されるようなものでもある。
【実施例】
【００２２】
図１は、上側部分１ａおよび下側部分１ｂから組立てられる壁取付けロッドを示している。壁取付けロッドの両方の部分１ａ，１ｂは、同じ断面を有するものであるが、ここに図示された具体例の事例では、異なった長さを有している。略Ｕ字形状のブラケット２は、ここでは分離して示されている２つの部分１ａ，１ｂの接合部に示されている。ランド部は、例えば壁に対してブラケット２を固定するために使用され得るネジがそれを介して挿入されることが可能である孔を有する。ブラケット２は、壁取付けロッドの上側部分１ａの上側端部にも存在するものであり、もう１つが、壁取付けロッドの下側部分１ｂの下側端部にも存在している。その上側端部は、端部キャップ３によって終端されるが、その一方で、終端コンポーネントが、その下側端部の近傍においてそれに対して取付けられる。壁取付けロッドの前部表面、すなわち壁とは反対側に面するその表面は、頂部から底部まで延在する一定断面を有する連続的な溝５を組み込んでいるものであり、その溝の中では、ハンドヘルド式シャワーヘッドのためのホルダ７を有するスライダ６が、その位置が調節可能であるようにして案内される。
【００２３】
ブラケット２は、溝５を邪魔しないで置いて、スライダ６が壁取付けロッドの上側部分１ａから出て壁取付けロッドの下側部分１ｂの中に入るように容易に摺動され得るようにして形成される。
【００２４】
組立ては、以下のような順番で行なわれる。先ず第１に、中央ブラケット２が、ネジを使用して壁に固定される。次に、壁取付けロッドの上側部分１ａは、スライダに被せて、後者の上側部分が以下で説明されるように壁取付けロッドの部分１ａ内の輪郭に係合するようにして設置される。続いて、上側ブラケット２が、壁取付けロッドの上側部分１ａに取付けられ、ネジを使用して壁に固定される。続いて、端部キャップ３が、壁取付けロッドの上側端部に被せて設置される。
【００２５】
最後に、壁取付けロッドの下側部分１ｂは、完全に組立てられたブラケット２に被せて摺動され、下側ブラケットが、ネジを使用して壁に固定される。続いて、下側終端コンポーネント４が、下側ブラケット２に対して固定され得るのである。
【００２６】
底部から開始することもまた可能であり、その事例では、ロッドの各部分は、上からブラケットに被せて摺動されることが可能であり、次のブラケットが適所に固定されてしまう前の周期の間も滑り落ちてしまわないことになる。詳細には、事前組立てされたロッドが、上向きまたは下向きに延ばされることも可能である。
【００２７】
壁取付けロッドに関するこの装置の個々のコンポーネントは、図２において示され、そこでは、明快に示すために単一のみの相当に短い部分１ａだけが示されることになった。
【００２８】
ここで、ブラケット２を参照する。図２において示された上側ブラケット２は、上側アタッチメント部分２ａおよび下側アタッチメント部分２ｂを有する。これらの２つのアタッチメント部分２ａ，２ｂは、ブラケット２の内側表面と外側表面の両方の廻りに走るランド部８によって分離される。ネジを挿入するための孔９は、上側アタッチメント部分２ａの後部壁上に配置される。内側方向に撓むことが可能である可撓性突起１０は、アタッチメント部分２ａの側壁上に形成される。この突起は、ランド部８の他方の側面上における案内表面１２と同じ平面内に位置する案内表面１１から張出している。
【００２９】
このランド部は、壁取付けロッドの長手方向軸に直交して拡張されることが可能であり、すなわち広げられることが可能である。設計の特色として使用されることも可能である明白に目に見える当該部分は、続いて、締付け具を設けるために使用されることもまた可能であり、それに対して、例えば、貯蔵トレー、歯ブラシ用のコップのためのホルダなどのその他のアイテムが、取付けられ得ることになる。
【００３０】
同様に形成される装置、すなわち、下側アタッチメント部分２ｂの案内表面１２の中に延在する可撓性突起１０および案内表面１１は、その図面では隠れている上側アタッチメント部分２ａの反対側の外側表面上に存在する。
【００３１】
図２において示された上側ブラケット２の上側アタッチメント部分２ａは、前述の端部キャップ３を収容するものであり、その端部キャップは、可撓性突起１０によって内側から係合され、それによって端部キャップ３の成形嵌め戻り止めを構成する孔１３を、その側壁内に有している。
【００３２】
図１は、完全に取り囲まれた中空の輪郭である壁取付けロッド１ａの輪郭を短縮して示している。ブラケット２の側壁は、その中空の輪郭の内側表面に係合する。従って、それらの嵌め合い案内表面１２は、その輪郭の内側表面上に配置される。ブラケットをその輪郭の中に挿入することは、所定の事例では、ブラケット２が一旦その中に挿入されてしまうと輪郭の中において適所に保持されるようにして、締り嵌めを形成する。
【００３３】
続いて、図２の最下部において示される第２のブラケット２が、壁取付けロッドの部分１ｂの下側端部に取付けられる。しかしながら、この事例では、それは、１８０度回転して示されることになった。何故なら、ここでは、アタッチメント部分２ａが、貫通孔をそれが有することを除けば端部キャップ３と同様に形成される終端コンポーネント４を収容するように意図されているからである。
【００３４】
壁取付けロッドは、前述の連続的な溝５を有するものであり、その溝は、ホルダ７の中に挿入されるシャワーヘッドのシャワーホースがその前部表面１４上においてこの溝５の中に据え付けられ得るようにして寸法形成される。各ブラケット２が輪郭形成された壁取付けロッドの内部に係合するので、それらは、溝５の断面を完全に任意なものにする。溝５は、スライダ６を案内するようにして輪郭形成される表面を形成する。ランド部８の外側エッジは、輪郭形成された壁取付けロッドの外側表面の輪郭に適合するようにして形成される。従って、ランド部のいずれの部分も、溝５の輪郭形成された断面の中には張出さないのである。
【００３５】
図２において示された２つのブラケットは、異なって配置されてはいても、全く同じものとして形成される。それらの２つのアタッチメント部分の一方は、特には終端コンポーネントを取付けるために設計されているが、輪郭形成された壁取付けロッド１の内部にブラケットを挿入し、結果として、その中においてブラケットを案内するために使用されることも可能である。輪郭形成された壁取付けロッド１のためのアタッチメント部分２ａ上の案内表面１２は、その残りのものよりも幾分短めであるが、それを案内するためには全く十分なものである。可撓性突起１０は、それを外すようにして曲げ戻しされることが可能である。横方向における成形嵌め戻り止めは、壁取付けロッドに関しては不要である。何故なら、それらが、それぞれのブラケット２によって両端において適所に保持されるからである。
【００３６】
ブラケット２が終端コンポーネントを取付けるために２つのアタッチメント部分２ａを有する必要はない。何故なら、２つの終端要素が互いに直に隣接して、当接して取付けられるという状況が、決して起こり得ないからである。
【００３７】
下側の終端コンポーネント４（図１を参照）は、その輪郭が後部において開いていないことを除けば壁取付けロッドと実質的に同じ輪郭を有するようにして形成される。終端コンポーネント４は、溝５を延長させる。ホースは、この終端コンポーネントをも介して吊り下げられることが可能なのである。
【００３８】
図３は、壁取付けロッド２１が、ここでもまた、その前部表面においてスライダを案内するために輪郭形成された表面を形成する溝５を有して、輪郭形成された中空のストックの長さ部分の形態を取って形成されるもう１つの実施例を示している。この実施例の場合、ブラケットは、そのアタッチメント部分の両方が輪郭形成された中空のストックの内部２２に係合するようにして形成されることも可能である。そのブラケットは、壁取付けロッド２１の横方向表面上における１対の輪郭形成されたチャネル２３に係合する１対の横方向ローブを有するようにして形成されることもまた可能である。しかしながら、それらが輪郭形成された中空のストックの内部に係合する構成が、より好ましいものである。
【００３９】
これまで言及されてきた２つの実施例は、溝が輪郭形成された案内表面を提供する中空の輪郭形成されたストックに関するものであるが、図４および図５は、円形断面を有する壁取付けロッドを有する簡略的な実施例を示していて、そこでは、スライダが壁取付けロッドの外側表面に載置される。壁取付けロッドの上側部分３１ａの底端部は、短くて狭いスロット３２を有する。壁取付けロッドの下側部分３１ｂは、その上側端部の近傍において同様なスロット３２を有する。ブラケット３４は、その外径が壁取付けロッド３１の内径に等しい円筒形の保持部分３５を組み込んでいる。保持部分３５は、ネジ孔３８を有する保持プレート３７に対して狭いランド部３６によって接合される。ブラケット３４が、壁に対してネジ留めされ、続いて、壁取付けロッドの２つの部分３１ａ，３１が、保持部分３５に被せて上または下から摺動され、連続的な壁取付けロッドを形成することになり、そのロッド上において、ランド部３６と嵌め合うスロットを有するスライダが、所定の位置に到達するまでブラケット３４を越えて前方に摺動され得るのである。
【００４０】
ここで、図６を参照する。図６は、図１から図３に従った壁取付けロッドを取付けるために使用されることが可能であるブラケット４０の正面図を示している。図１および図２において示されたブラケットは、非常に狭いランド部８を有しているが、ここに図示されたものは、幅広なランド部４１を有する。ブラケットの長手方向中心線の廻りにおいて対称的に配置される１対の短い付属物４２は、ランド部４１から外側方向に突出する。例えば短い円筒形ジャックの形態を採って形成されることが可能であり、その中には例えばトレーのラグが上から挿入されることも可能であり、ここでは簡略的な描写のみで示されているレセプタクル４３は、その場合には、各々の付属物４２の自由端部上に配置される。壁取付けロッドを壁に固定するブラケットは、このようにして、その他のアイテムを取付ける設備を提供するという補足的な機能を引き受けることが可能なのである。
【００４１】
ブラケットの後部壁に設けられて、それを壁に固定するためには、先に述べた実施例の事例では唯１つの孔だけが存在していたが、１対の孔が設けられることも可能である。
【図面の簡単な説明】
【００４２】
【図１】２つの部分によって構成され、シャワーヘッドを取付けるためのブラケットを有する、壁取付けロッドの概略図である。
【図２】ブラケットアセンブリの個々のコンポーネントに関する拡大図である。
【図３】もう１つの実施例の輪郭形成された壁取付けロッドの断面図である。
【図４】円形断面を有する壁取付けロッドの２つの部分の接合部に関する長手方向部分断面図である。
【図５】図４において示された実施例のブラケットの頂面図である。
【図６】もう１つのブラケットの正面図である。
【符号の説明】
【００４３】
１ａ，３１ａ    上側部分
１ｂ，３１ｂ    下側部分
２，３４，４０    ブラケット
３    端部キャップ
５    溝
６    スライダ
７    ホルダ
１０    可撓性突起
１２    案内表面
１３    孔
２１，３１    壁取付けロッド
３２    同様なスロット
３５    保持部分
３７    保持プレート
４１    幅広なランド部
４２    付属物
４３    レセプタクル
【図１】
2004197555.tif 000003
【図２】
2004197555.tif 000004
【図３】
2004197555.tif 000005
【図４】
2004197555.tif 000006
【図５】
2004197555.tif 000007
【図６】
2004197555.tif 000008
【外国語明細書】
2004197555.tif 000009
2004197555.tif 000010
2004197555.tif 000011
2004197555.tif 000012
2004197555.tif 000013
2004197555.tif 000014
2004197555.tif 000015
2004197555.tif 000016
2004197555.tif 000017
2004197555.tif 000018
2004197555.tif 000019
2004197555.tif 000020
2004197555.tif 000021
2004197555.tif 000022
2004197555.tif 000023
2004197555.tif 000024
2004197555.tif 000025
2004197555.tif 000026
2004197555.tif 000027